(57)【要約】【課題】ディスプレイモジュールの破損を防止できる電子機器を提供する。【解決手段】一つの実施形態に係る電子機器１は、筐体３と、ディスプレイモジュール４と、第１の受け部２５と、第２の受け部２７とを具備する。筐体３は、第１の内面１１と、第１の内面１１と相対する第２の内面１３と、を有する。ディスプレイモジュール４は、第１の内面１１に重ねられて筐体３に収容された基部２１と、基部２１に重ねられて第２の内面１３と相対したパネル２２と、を有する。第１の受け部２５は、ディスプレイモジュール４の側面に沿って第１の内面１１に設けられ、基部２１の側面に面するとともにパネル２２の側面から第１の内面１１の方向に外れている。第２の受け部２７は、第１の受け部２５よりもディスプレイモジュール４から離れて配置され、パネル２２の側面に面する。【選択図】    図２
2011254254.tif 000002
【特許請求の範囲】
【請求項１】
第１の内面を有した設置部材と、前記第１の内面と対向する第２の内面を有するとともに前記第２の内面に開口した開口部が設けられたカバー部材と、を有した筐体と、
前記第１の内面の上に配置された基部と、前記基部に重ねられて前記開口部から前記筐体の外部に露出された透光パネルと、を有したディスプレイモジュールと、
前記ディスプレイモジュールの側面に沿って前記第１の内面から突出し、前記基部の側面と対向するとともに前記透光パネルの側面から前記第１の内面の方向に外れた第１の受け部と、
前記第１の受け部よりも前記ディスプレイモジュールから離れて配置されるとともに前記第２の内面から前記第１の内面に向かって前記第１の受け部よりも大きく突出し、前記透光パネルの側面と対向した第２の受け部と、
を具備し、
前記第２の受け部と前記第１の内面との間の隙間は、前記透光パネルと前記第２の内面との間の隙間よりも狭いテレビ。
【請求項２】
第１の内面を有した設置部材と、前記第１の内面と対向する第２の内面を有するとともに前記第２の内面に開口した開口部が設けられたカバー部材と、を有した筐体と、
前記第１の内面の上に配置された基部と、前記基部に重ねられて前記開口部から前記筐体の外部に露出された透光パネルと、を有したディスプレイモジュールと、
前記ディスプレイモジュールの側面に沿って前記第１の内面に設けられ、前記基部の側面と対向するとともに前記透光パネルの側面から前記第１の内面の方向に外れた第１の受け部と、
前記第１の受け部よりも前記ディスプレイモジュールから離れて配置されるとともに前記第２の内面に向かって延び、前記透光パネルの側面と対向した第２の受け部と、
を具備し、
前記第２の受け部と前記第２の内面との間の隙間は、前記透光パネルと前記第２の内面との間の隙間よりも狭いテレビ。
【請求項３】
前記第１の受け部は、前記第１の内面から突出し、
前記第２の受け部は、前記第１の内面から前記第１の受け部よりも大きく突出した請求項２に記載のテレビ。
【請求項４】
前記第１の受け部は、前記第１の内面から突出し、
前記第２の受け部は、前記第１の受け部の先端から突出するとともに前記ディスプレイモジュールから離れる方向に傾斜し、前記第１の受け部よりも薄く形成された請求項２に記載のテレビ。
【請求項５】
第１の内面と、前記第１の内面と相対する第２の内面と、を有した筐体と、
前記第１の内面に重ねられて前記筐体に収容された基部と、前記基部に重ねられて前記第２の内面と相対したパネルと、を有したディスプレイモジュールと、
前記ディスプレイモジュールの側面に沿って前記第１の内面に設けられ、前記基部の側面に面するとともに前記パネルの側面から前記第１の内面の方向に外れた第１の受け部と、
前記第１の受け部よりも前記ディスプレイモジュールから離れて配置され、前記パネルの側面に面した第２の受け部と、
を具備した電子機器。
【請求項６】
前記第１の受け部は、前記第１の内面から突出し、
前記第２の受け部は、前記第１の内面から前記第２の内面に向かって前記第１の受け部よりも大きく突出し、
前記第２の受け部と前記第２の内面との間の隙間は、前記パネルと前記第２の内面との間の隙間よりも狭い請求項５に記載の電子機器。
【請求項７】
前記第１の受け部は、前記第１の内面から突出し、
前記第２の受け部は、前記第２の内面から前記第１の内面に向かって前記第１の受け部よりも大きく突出し、
前記第２の受け部と前記第１の内面との間の隙間は、前記パネルと前記第２の内面との間の隙間よりも狭い請求項５に記載の電子機器。
【請求項８】
前記第１の受け部は、前記第１の内面から突出し、
前記第２の受け部は、前記第１の受け部の先端から突出するとともに前記ディスプレイモジュールから離れる方向に傾斜し、前記第１の受け部よりも薄く形成され、
前記第２の受け部と前記第２の内面との間の隙間は、前記パネルと前記第２の内面との間の隙間よりも狭い請求項５に記載の電子機器。
【請求項９】
前記第２の受け部と前記ディスプレイモジュールの側面との間に挟まれたクッション部材をさらに具備した請求項６、７、および８のいずれか１つに記載の電子機器。
【請求項１０】
前記第１の受け部と前記第２の内面との間の隙間は、前記ディスプレイモジュールの厚みよりも大きい請求項６または７に記載の電子機器。
【請求項１１】
前記ディスプレイモジュールは、前記ディスプレイモジュールの側面に沿う電子部品を有し、
前記第１の受け部は、前記電子部品と対向する位置から外れて配置された請求項５、６，７、および８のいずれか１つに記載の電子機器。
【発明の詳細な説明】
【技術分野】
【０００１】
本発明の実施形態は、テレビおよび電子機器に関する。
【背景技術】
【０００２】
テレビやポータブルコンピュータのような電子機器は、画像を表示するディスプレイモジュールを備えている。ディスプレイモジュールは、例えば液晶ディスプレイ（ＬＣＤ）や、プラズマディスプレイである。
【０００３】
ディスプレイモジュールは、筐体の内部に収容される。筐体の内部には、ディスプレイモジュールの側面に沿って複数のリブが設けられる。例えば電子機器が落下して衝撃を受けた場合、これらのリブがディスプレイモジュールを受け止める。
【０００４】
リブに受け止められたディスプレイモジュールが破損することを防止するため、リブまたはディスプレイモジュールにゴムのようなクッション部材が取り付けられることがある。クッション部材は、リブとディスプレイモジュールの間に介在し、ディスプレイモジュールが受ける衝撃を緩和する。
【先行技術文献】
【特許文献】
【０００５】
【特許文献１】特開２００６−９９２４２号公報
【発明の概要】
【発明が解決しようとする課題】
【０００６】
ディスプレイモジュールは、画像を表示する表示面を覆うガラスパネルを有している。このガラスパネルは薄く形成されているため、衝撃に対して脆弱である。このため、ガラスパネルに作用する外力を可能な限り低減することが求められる。
【０００７】
本発明の目的は、ディスプレイモジュールの破損を防止できるテレビおよび電子機器を提供することである。
【課題を解決するための手段】
【０００８】
上記目的を達成するため、一つの実施形態に係る電子機器は、  
筐体と、ディスプレイモジュールと、第１の受け部と、第２の受け部とを具備している。前記筐体は、第１の内面と、前記第１の内面と相対する第２の内面と、を有する。前記ディスプレイモジュールは、前記第１の内面に重ねられて前記筐体に収容された基部と、前記基部に重ねられて前記第２の内面と相対したパネルと、を有する。前記第１の受け部は、前記ディスプレイモジュールの側面に沿って前記第１の内面に設けられ、前記基部の側面に面するとともに前記パネルの側面から前記第１の内面の方向に外れている。前記第２の受け部は、前記第１の受け部よりも前記ディスプレイモジュールから離れて配置され、前記パネルの側面に面する。
【図面の簡単な説明】
【０００９】
【図１】第１の実施の形態に係るテレビを示す斜視図。
【図２】図１のＦ２−Ｆ２線に沿って示す断面図。
【図３】第１の実施形態のテレビが衝撃を受けた状態を示す断面図。
【図４】第１の実施形態のカバー部材が外力を受けた状態を示す断面図。
【図５】第２の実施の形態に係るテレビの一部を示す断面図。
【図６】第２の実施形態のテレビが衝撃を受けた状態を示す断面図。
【図７】第２の実施形態のテレビの変形例を示す断面図。
【図８】第３の実施の形態に係るテレビの一部を示す断面図。
【図９】第３の実施形態のテレビが衝撃を受けた状態を示す断面図。
【図１０】第４の実施の形態に係るポータブルコンピュータを示す斜視図。
【図１１】図１０のＦ１１−Ｆ１１線に沿って示すポータブルコンピュータの断面図。
【図１２】第４の実施形態の第２のユニットからカバー部材を除いて示す斜視図。
【図１３】第４の実施形態のベース部材と設置部材とを示す平面図。
【図１４】第５の実施の形態に係るポータブルコンピュータを示す斜視図。
【図１５】第５の実施形態の第２のユニットからカバー部材を除いて示す平面図。
【図１６】第５の実施形態の設置部材の一部を示す斜視図。
【図１７】図１５のＦ１７−Ｆ１７線に沿って第２のユニットの一部を示す断面図。
【発明を実施するための形態】
【００１０】
以下に、第１の実施の形態について、図１から図４を参照して説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１１】
図１は、テレビ１を一部切り欠いて示す正面図である。テレビ１は、テレビおよび電子機器の一例である。テレビ１は、例えば、液晶テレビである。なお、テレビ１はこれに限らず、例えばプラズマテレビのような他のテレビでも良い。
【００１２】
図１に示すように、テレビ１は、筐体３と、ディスプレイモジュール４と、支持脚５とを有している。ディスプレイモジュール４は、例えば液晶ディスプレイ（ＬＣＤ）であり、筐体３に収容されている。支持脚５は、筐体３を支持する。
【００１３】
図２は、図１のＦ２−Ｆ２線に沿って、テレビ１の内部構造の一部を示す断面図である。図２に示すように、筐体３は、設置部材７と、カバー部材８とを有している。カバー部材８は、筐体３の背面を形成するベース部材に取り付けられている。設置部材７は、カバー部材８と、このベース部材との間に挟まれている。
【００１４】
設置部材７は、例えばマグネシウム合金によって形成される。設置部材７はこれに限らず、アルミニウム合金や合成樹脂のような他の材料で形成されていても良い。設置部材７は、第１の内面１１を有している。第１の内面１１に、ディスプレイモジュール４が取り付けられている。
【００１５】
カバー部材８は、第２の内面１３を有している。第２の内面１３は、第１の内面１１と対向している。カバー部材８に、開口部１４が設けられている。開口部１４は、第２の内面１３に開口する。
【００１６】
開口部１４は、カバーガラス１６によって塞がれている。カバーガラス１６の表面は、カバー部材８の外面とほぼ同一平面をなしている。カバー部材８とカバーガラス１６とは、透明なフィルタ１７に覆われている。
【００１７】
ディスプレイモジュール４は、基部２１と、透光パネル２２と、フレーム部２３とを有している。透光パネル２２は、透光パネルおよびパネルの一例である。基部２１は、例えば液晶や光源が積層されて形成されている。基部２１は、第１の内面１１の上に配置されている。
【００１８】
透光パネル２２は、例えばガラスパネルである。透光パネル２２は、基部２１に重ねられ、映像が表示されるディスプレイモジュール４の表示面を形成している。透光パネル２２は、第２の内面１３と相対し、開口部１４から筐体３の外部に露出されている。
【００１９】
フレーム部２３は、基部２１および透光パネル２２の外周に嵌められている。フレーム部２３は、基部２１に透光パネル２２を固定する。フレーム部２３は、ディスプレイモジュール４の側面を形成する。
【００２０】
図１に示すように、ディスプレイモジュール４は、蛍光管２４をさらに有している。蛍光管２４は、電子部品の一例である。蛍光管２４は、ディスプレイモジュール４の下側面４ａに沿って基部２１の内部に設けられている。下側面４ａは、ディスプレイモジュール４の下方向の側面である。蛍光管２４は、ディスプレイモジュール４の光源として用いられる。
【００２１】
設置部材７の第１の内面１１に、複数の第１のリブ２５が設けられている。第１のリブ２５は、第１の受け部の一例である。図２に示すように、第１のリブ２５は、それぞれ第１の内面１１から突出している。第１のリブ２５は、ディスプレイモジュール４の左右方向の側面に沿って、それぞれ配置されている。このため、第１のリブ２５は、蛍光管２４と対向する位置から外れて配置されている。
【００２２】
第１のリブ２５は、フレーム部２３を挟んで、ディスプレイモジュール４の基部２１の側面と対向している。一方、第１のリブ２５は、透光パネル２２の側面から第１の内面１１の方向に外れている。言い換えると、第１のリブ２５は、第１の内面１１から基部２１の厚みよりも小さく突出している。第１の内面１１から第１のリブ２５の先端までの長さは、基部２１の厚みよりも短い。なお、第１のリブ２５が透光パネル２２の側面から第１の内面１１の方向に外れているならば、第１のリブ２５は、第１の内面１１から基部２１の厚みよりも大きく突出していても良い。
【００２３】
カバー部材８の第２の内面１３に、複数の第２のリブ２７が設けられている。第２のリブ２７は、第２の受け部の一例である。第２のリブ２７は、それぞれ第２の内面１３から第１の内面１１に向かって突出している。第２のリブ２７は、フレーム部２３を挟んで、ディスプレイモジュール４の透光パネル２２の側面と対向している。
【００２４】
第２のリブ２７は、ディスプレイモジュール４の左右方向の側面に沿って、それぞれ配置されている。図２に示すように、第２のリブ２７は、第１のリブ２５よりも、ディスプレイモジュール４から離れて配置されている。ディスプレイモジュール４の左右方向の側面に沿う方向において、複数の第１のリブ２５と複数の第２のリブ２７とは、それぞれ互い違いに配置されている。
【００２５】
第２のリブ２７は、第１のリブ２５よりも大きく突出している。第２のリブ２７は、ディスプレイモジュール４の厚みよりも大きく突出している。図２に示すように、第２のリブ２７と第１の内面１１との間の隙間Ｓ１は、透光パネル２２と第２の内面１３との間の隙間Ｓ２よりも狭い。
【００２６】
第２のリブ２７に、複数の補助リブ２９がそれぞれ設けられている。補助リブ２９は、第２のリブ２７から、ディスプレイモジュール４の反対方向に向かって延びる。補助リブ２９は、第２のリブ２７と第２の内面１３とを連結する。
【００２７】
ディスプレイモジュール４のフレーム部２３に、弾性を有する複数のクッション部材３１が取り付けられている。クッション部材３１は、例えば合成ゴム、スポンジ、布、または高分子材料によって形成された衝撃吸収材のような、種々の緩衝材が適用される。
【００２８】
複数のクッション部材３１は、それぞれ第２のリブ２７に対応する位置に設けられている。クッション部材３１は、ディスプレイモジュール４の側面と、第２のリブ２７との間に挟まれる。
【００２９】
図２に示すように、クッション部材３１の厚みＬ１は、第１のリブ２５の対向面２５ａと第２のリブ２７の対向面２７ａとの間の距離Ｌ２よりも大きい。第１のリブ２５の対向面２５ａと第２のリブ２７の対向面２７ａとは、それぞれディスプレイモジュール４と対向する面である。
【００３０】
図１に示すように、設置部材７の第１の内面１１に、複数の第３のリブ３２が設けられている。第３のリブ３２は、ディスプレイモジュール４の上下方向の側面に沿って、それぞれ配置されている。
【００３１】
第３のリブ３２は、第１の内面１１から基部２１の厚みよりも大きく突出している。第３のリブ３２は、ディスプレイモジュール４の基部２１および透光パネル２２のそれぞれの側面と対向している。
【００３２】
第３のリブ３２とディスプレイモジュール４との間に、緩衝材３３が挟まれている。第３のリブ３２は、緩衝材３３を介してディスプレイモジュール４を挟持している。
【００３３】
ディスプレイモジュール４は、第３のリブ３２に挟持されることによって設置部材７の第１の内面１１に取り付けられている。なお、ディスプレイモジュール４はこれに限らず、設置部材７にねじ止めされていても良い。
【００３４】
図３は、衝撃を受けたテレビ１の一部の内部構造を示す断面図である。テレビ１が衝撃を受けると、ディスプレイモジュール４は、筐体３に対して、例えば図３の矢印Ａで示す方向に移動する場合がある。矢印Ａは、左方向を示す。
【００３５】
ディスプレイモジュール４が矢印Ａ方向に移動すると、フレーム部２３に取り付けられたクッション部材３１が第２のリブ２７に当接する。すなわち、ディスプレイモジュール４は、クッション部材３１を介して第２のリブ２７に受け止められる。
【００３６】
さらに、ディスプレイモジュール４は、第１のリブ２５に受け止められる。第１のリブ２５は、透光パネル２２の側面から第１の内面１１の方向に外れているため、フレーム部２３を介して基部２１のみを受け止める。
【００３７】
このように、ディスプレイモジュール４の基部２１は、フレーム部２３を介して第１のリブ２５に受け止められるとともに、フレーム部２３およびクッション部材３１を介して第２のリブ２７に受け止められる。一方、ディスプレイモジュール４の透光パネル２２は、フレーム部２３およびクッション部材３１を介して第２のリブ２７にのみ受け止められる。
【００３８】
一方、図４は、カバー部材８に外力を受けたテレビ１の一部の内部構造を示す断面図である。例えば、カバー部材８が図４の矢印Ｂで示す方向に外力を受けると、カバー部材８が矢印Ｂ方向に撓む。矢印Ｂは、後方向を示す。
【００３９】
カバー部材８が撓むと、第２のリブ２７は、設置部材７の第１の内面１１に当接する。第２のリブ２７は、第１の内面１１に当接すると、カバー部材８を支持する。この場合、透光パネル２２と第２の内面１３との間に隙間が存する。
【００４０】
上記構成のテレビ１によれば、テレビ１が衝撃を受けたとしても、第１のリブ２５および第２のリブ２７がディスプレイモジュール４をそれぞれ受け止める。これにより、ディスプレイモジュール４に作用する外力が分散される。
【００４１】
透光パネル２２は、クッション部材３１を介して第２のリブ２７のみによって受け止められる。透光パネル２２が受ける外力は、第１のリブ２５に分散されるとともにクッション部材３１によって吸収される。これにより、透光パネル２２に作用する外力を低減することができる。
【００４２】
さらに、カバー部材８が外力を受けると、第２のリブ２７は第１の内面１１に当接してカバー部材８を支持する。この場合、透光パネル２２は、第２の内面１３から離間したままである。これにより、透光パネル２２がカバー部材８に接触されて破損することを防止できる。以上のように、ディスプレイモジュール４の破損が防止される。
【００４３】
次に、第２の実施の形態について、図５ないし図７を参照して説明する。このとき、第１の実施形態のテレビ１と同一の機能を有する構成部分には同一の参照符号を付してその説明を省略する。
【００４４】
図５は、第２の実施形態のテレビ１の一部の内部構造を示す断面図である。図５に示すように、設置部材７の第１の内面１１に、複数の第１のリブ４１が設けられている。第１のリブ４１は、第１の受け部の一例である。
【００４５】
第１のリブ４１は、それぞれ第１の内面１１から突出している。第１のリブ４１は、ディスプレイモジュール４の左右方向の側面に沿って、それぞれ配置されている。第１のリブ４１は、蛍光管２４と対向する位置から外れて配置されている。
【００４６】
第１のリブ４１は、フレーム部２３を挟んで、ディスプレイモジュール４の基部２１の側面と対向している。一方、第１のリブ４１は、透光パネル２２の側面から第１の内面１１の方向に外れている。言い換えると、第１のリブ４１は、第１の内面１１から基部２１の厚みよりも小さく突出している。
【００４７】
第１の内面１１から第１のリブ４１の先端までの長さは、基部２１の厚みよりも短い。図５に示すように、第１のリブ４１と第２の内面１３との間の隙間Ｓ３は、ディスプレイモジュール４の厚みＬ３よりも大きい。
【００４８】
設置部材７の第１の内面１１に、複数の第２のリブ４３が設けられている。第２のリブ４３は、第２の受け部の一例である。第２のリブ４３は、それぞれ第１の内面１１から第２の内面１３に向かって突出している。言い換えると、第２のリブ４３は、第２の内面１３に向かって延びている。
【００４９】
第２のリブ４３は、ディスプレイモジュール４の左右方向の側面に沿って、それぞれ配置されている。第２のリブ４３は、第１のリブ４１よりも、ディスプレイモジュール４から離れて配置されている。
【００５０】
第２のリブ４３は、第１のリブ４１よりも大きく突出している。第２のリブ４３は、ディスプレイモジュール４の厚みＬ３よりも大きく突出している。図５に示すように、第２のリブ４３と第２の内面１３との間の隙間Ｓ４は、透光パネル２２と第２の内面１３との間の隙間Ｓ２よりも狭い。第２のリブ４３は、フレーム部２３を挟んで、ディスプレイモジュール４の透光パネル２２の側面と対向している。
【００５１】
第２のリブ４３に、複数の補助リブ４４がそれぞれ設けられている。補助リブ４４は、第２のリブ４３から、ディスプレイモジュール４の反対方向に向かって延びる。補助リブ４４は、第２のリブ４３と第２の内面１３とを連結する。
【００５２】
ディスプレイモジュール４のフレーム部２３に、弾性を有する複数のクッション部材３１が取り付けられている。クッション部材３１は、ディスプレイモジュール４と、第１のリブ４１との間に挟まれている。さらに、クッション部材３１は、ディスプレイモジュール４と、第２のリブ４３との間に挟まれている。
【００５３】
図６は、衝撃を受けたテレビ１の一部の内部構造を示す断面図である。テレビ１が衝撃を受けると、ディスプレイモジュール４は、例えば図６の矢印Ａで示す方向に移動する場合がある。
【００５４】
ディスプレイモジュール４が矢印Ａ方向に移動すると、フレーム部２３に取り付けられたクッション部材３１が第１のリブ４１に当接する。すなわち、ディスプレイモジュール４は、クッション部材３１を介して第１のリブ４１に受け止められる。第１のリブ４１は、透光パネル２２の側面から第１の内面１１の方向に外れているため、フレーム部２３およびクッション部材３１を介して基部２１のみを受け止める。
【００５５】
テレビ１が受けた衝撃が強い場合、第１のリブ４１に受け止められたディスプレイモジュール４は、第１のリブ４１の上に乗り上げる。図６の二点鎖線Ｃは、第１のリブ４１の上に乗り上げたディスプレイモジュール４およびクッション部材３１を示す。
【００５６】
フレーム部２３に取り付けられたクッション部材３１は、第２のリブ４３に当接する。すなわち、ディスプレイモジュール４は、クッション部材３１を介して第２のリブ４３に受け止められる。
【００５７】
このように、ディスプレイモジュール４の基部２１は、フレーム部２３およびクッション部材３１を介して第１のリブ４１と第２のリブ４３とに受け止められる。一方、ディスプレイモジュール４の透光パネル２２は、フレーム部２３およびクッション部材３１を介して第２のリブ４３にのみ受け止められる。
【００５８】
一方で、例えばカバー部材８が図５の矢印Ｂで示す方向に外力を受けると、カバー部材８が矢印Ｂ方向に撓む。カバー部材８が撓むと、第２のリブ４３は、カバー部材８の第２の内面１３に当接する。第２のリブ４３は、第２の内面１３に当接すると、カバー部材８を支持する。この場合、透光パネル２２と第２の内面１３との間に隙間が存する。
【００５９】
上記構成のテレビ１によれば、テレビ１が衝撃を受けたとしても、第１のリブ４１がディスプレイモジュール４を受け止める。テレビ１が受けた衝撃が強かったとしても、第２のリブ４３がディスプレイモジュール４を受け止める。
【００６０】
透光パネル２２は、クッション部材３１を介して第２のリブ４３のみによって受け止められる。ディスプレイモジュール４が第２のリブ４３に受け止められた際に受ける外力は、第１のリブ４１に受け止められた際に受ける外力よりも小さい。これにより、透光パネル２２に作用する外力を低減することができる。
【００６１】
さらに、カバー部材８が外力を受けると、第２のリブ４３は第２の内面１３に当接してカバー部材８を支持する。この場合、透光パネル２２は、第２の内面１３から離間したままである。これにより、透光パネル２２がカバー部材８に接触されて破損することを防止できる。以上のように、ディスプレイモジュール４の破損が防止される。
【００６２】
図７は、第２の実施の形態の変形例を示す断面図である。第２の実施の形態の機能および効果は、図７に示すように、第２のリブ４３が第２の内面１３から突出していた場合であっても得ることができる。
【００６３】
次に、第３の実施の形態について、図８および図９を参照して説明する。このとき、第１および第２の実施形態のテレビ１と同一の機能を有する構成部分には同一の参照符号を付してその説明を省略する。
【００６４】
図８は、第３の実施形態のテレビ１の一部の内部構造を示す断面図である。図８に示すように、設置部材７の第１の内面１１に、複数の傾斜リブ５０が設けられている。傾斜リブ５０は、第１の部分５１と、第２の部分５２とを有している。第１の部分５１は、第１の受け部の一例である。第２の部分５２は、第２の受け部の一例である。
【００６５】
複数の傾斜リブ５０は、ディスプレイモジュール４の左右方向の側面に沿って、それぞれ配置されている。傾斜リブ５０は、蛍光管２４と対向する位置から外れて配置されている。
【００６６】
第１の部分５１は、第１の内面１１から突出している。第１の部分５１は、フレーム部２３を挟んで、ディスプレイモジュール４の基部２１の側面と対向している。一方、第１の部分５１は、透光パネル２２の側面から第１の内面１１の方向に外れている。言い換えると、第１の部分５１は、第１の内面１１から基部２１の厚みよりも小さく突出している。第１の内面１１から第１の部分５１の先端までの長さは、基部２１の厚みよりも短い。
【００６７】
第２の部分５２は、第１の部分５１の先端から第２の内面１３に向かって突出している。言い換えると、第２の部分５２は、第２の内面１３に向かって延びている。第２の部分５２は、ディスプレイモジュール４から離れる方向に傾斜している。このため、第２の部分５２は、第１の部分５１よりも、ディスプレイモジュール４から離れて配置されている。第２の部分５２は、第１の部分５１よりも薄く形成されている。
【００６８】
図８に示すように、第２の部分５２と第２の内面１３との間の隙間Ｓ５は、透光パネル２２と第２の内面１３との間の隙間Ｓ２よりも狭い。第２の部分５２は、フレーム部２３を挟んで、ディスプレイモジュール４の透光パネル２２の側面と対向している。
【００６９】
ディスプレイモジュール４のフレーム部２３に、弾性を有する複数のクッション部材３１が取り付けられている。クッション部材３１は、ディスプレイモジュール４と、傾斜リブ５０との間に挟まれている。
【００７０】
図９は、衝撃を受けたテレビ１の内部構造を示す断面図である。テレビ１が衝撃を受けると、ディスプレイモジュール４は、例えば図９の矢印Ａで示す方向に移動する場合がある。
【００７１】
ディスプレイモジュール４が矢印Ａ方向に移動すると、フレーム部２３に取り付けられたクッション部材３１が第１の部分５１に当接する。すなわち、ディスプレイモジュール４は、クッション部材３１を介して第１の部分５１に受け止められる。第１の部分５１は、透光パネル２２の側面から第１の内面１１の方向に外れているため、フレーム部２３およびクッション部材３１を介して基部２１のみを受け止める。
【００７２】
テレビ１が受けた衝撃が強い場合、第１の部分５１に受け止められたディスプレイモジュール４は、矢印Ａで示す方向にさらに移動する。これにより、クッション部材３１は、第２の部分５２に当接する。すなわち、ディスプレイモジュール４は、クッション部材３１を介して第２の部分５２に受け止められる。この際、第２の部分５２は、フレーム部２３およびクッション部材３１を介して、基部２１および透光パネル２２を受け止める。
【００７３】
このように、ディスプレイモジュール４の基部２１は、フレーム部２３およびクッション部材３１を介して第１の部分５１と第２の部分５２とに受け止められる。一方、ディスプレイモジュール４の透光パネル２２は、フレーム部２３およびクッション部材３１を介して第２の部分５２にのみ受け止められる。
【００７４】
一方で、例えばカバー部材８が図８の矢印Ｂで示す方向に外力を受けると、カバー部材８が矢印Ｂ方向に撓む。カバー部材８が撓むと、第２の部分５２は、カバー部材８の第２の内面１３に当接する。第２の部分５２は、第２の内面１３に当接すると、カバー部材８を支持する。この場合、透光パネル２２と第２の内面１３との間に隙間が存する。
【００７５】
上記構成のテレビ１によれば、テレビ１が衝撃を受けたとしても、第１の部分５１がディスプレイモジュール４を受け止める。テレビ１が受けた衝撃が強かったとしても、第２の部分５２がディスプレイモジュール４を受け止める。
【００７６】
透光パネル２２は、クッション部材３１を介して第２の部分５２のみによって受け止められる。ディスプレイモジュール４が第２の部分５２に受け止められた際に受ける外力は、第１の部分５１に受け止められた際に受ける外力よりも小さい。これにより、透光パネル２２に作用する外力を低減することができる。
【００７７】
さらに、カバー部材８が外力を受けると、第２の部分５２は第２の内面１３に当接してカバー部材８を支持する。この場合、透光パネル２２は、第２の内面１３から離間したままである。これにより、透光パネル２２がカバー部材８に接触されて破損することを防止できる。以上のように、ディスプレイモジュール４の破損が防止される。
【００７８】
次に、第４の実施の形態について、図１０ないし図１３を参照して説明する。このとき、第１の実施形態のテレビ１と同一の機能を有する構成部分には同一の参照符号を付してその説明を省略する。
【００７９】
図１０は、ポータブルコンピュータ１０１を示す斜視図である。ポータブルコンピュータ１０１は、電子機器の一例である。図１０に示すように、ポータブルコンピュータ１０１は、第１のユニット１０３と、第２のユニット１０４とを備えている。
【００８０】
第１のユニット１０３と第２のユニット１０４とは、ヒンジ機構１０６を介して連結されている。ヒンジ機構１０６は、第１の軸Ａｘ１回りに回動可能に第１のユニット１０３の端部に連結されている。ヒンジ機構１０６は、第２の軸Ａｘ２回りに回動可能に第２のユニット１０４の端部に連結されている。第１の軸Ａｘ１と第２の軸Ａｘ２とは、互いに平行に延びる軸である。
【００８１】
第１のユニット１０３と第２のユニット１０４とは、図１０に示す展開状態と図示しない折畳状態との間で相対的に回動する。展開状態において、第２のユニット１０４は、第１のユニット１０３と隣り合う。折畳状態において、第２のユニット１０４は、第１のユニット１０３の上に重なる。
【００８２】
第１のユニット１０３は、偏平な箱状の第１の筐体１１０と、タッチスクリーンモジュール１１１とを備えている。タッチスクリーンモジュール１１１は、例えば液晶ディスプレイの表示部に透明なタッチパネル１１１ａを重ねて形成される。タッチスクリーンモジュール１１１は、第１の筐体１１０に収容されている。
【００８３】
第１の筐体１１０の内表面１１０ａに、第１の開口部１１２が設けられている。内表面１１０ａは、折畳状態において、第２のユニット１０４と対向する面である。第１の開口部１１２は、タッチパネル１１１ａを第１のユニット１０３の外に露出させる。
【００８４】
第２のユニット１０４は、偏平な箱状の第２の筐体１１５と、ディスプレイモジュール１１６とを備えている。第２の筐体１１５は、筐体の一例である。ディスプレイモジュール１１６は、例えば液晶ディスプレイである。ディスプレイモジュール１１６は、第２の筐体１１５に収容されている。
【００８５】
第２の筐体１１５の内表面１１５ａに、第２の開口部１１７が設けられている。内表面１１５ａは、折畳状態において、第１のユニット１０３と対向する面である。第２の開口部１１７は、ディスプレイモジュール１１６のスクリーン１１６ａを第２のユニット１０４の外に露出させる。
【００８６】
図１１は、図１０のＦ１１−Ｆ１１線に沿って第２のユニット１０４の一部を示す断面図である。図１１に示すように、第２の筐体１１５は、カバー部材１２１と、ベース部材１２２と、設置部材１２３とを有している。
【００８７】
カバー部材１２１は、ベース部材１２２を覆ってベース部材１２２に取り付けられている。設置部材１２３は、ベース部材１２２に取り付けられるとともに、カバー部材１２１とベース部材１２２との間に挟まれている。
【００８８】
設置部材１２３は、第１の内面１２５を有している。第１の内面１２５は、カバー部材１２１と相対している。第１の内面１２５に、ディスプレイモジュール１１６が取り付けられている。
【００８９】
カバー部材１２１は、第２の内面１２６を有している。第２の内面１２６は、ディスプレイモジュール１１６を挟んで、第１の内面１２５と相対している。第２の内面１２６に、第２の開口部１１７が開口している。
【００９０】
ディスプレイモジュール１１６は、基部１３１と、パネル１３２と、フレーム部１３３とを有している。基部１３１は、例えば液晶や光源が積層されて形成されている。基部１３１は、第２の筐体１１５に収容され、第１の内面１２５に重ねられている。
【００９１】
パネル１３２は、例えばガラスパネルである。パネル１３２は、基部１３１に重ねられている。パネル１３２は、ディスプレイモジュール１１６のスクリーン１１６ａを形成する。パネル１３２は、第２の内面１２６と相対しており、第２の開口部１１７から第２の筐体１１５の外部に露出されている。
【００９２】
フレーム部１３３は、基部１３１およびパネル１３２の外周に嵌められている。フレーム部１３３は、基部１３１にパネル１３２を固定する。フレーム部１３３は、ディスプレイモジュール１１６の側面を形成する。
【００９３】
図１２は、第２のユニット１０４からカバー部材１２１を除いて示す斜視図である。図１２に示すように、ディスプレイモジュール１１６は、回路基板１３４をさらに有している。回路基板１３４は、電子部品の一例である。回路基板１３４は、ディスプレイモジュール１１６の下側面１１６ｂに沿って設けられている。下側面１１６ｂは、ヒンジ機構１０６に向かうディスプレイモジュール１１６の側面である。回路基板１３４は、基部１３１に接続され、例えばディスプレイモジュール１１６を制御する。
【００９４】
図１３は、ベース部材１２２および設置部材１２３を示す平面図である。設置部材１２３の第１の内面１２５に、複数の第１のリブ１３５が設けられている。第１のリブ１３５は、第１の受け部の一例である。
【００９５】
第１のリブ１３５は、それぞれ第１の内面１２５から突出している。図１２に示すように、第１のリブ１３５は、ディスプレイモジュール１１６の左右方向の側面に沿って、それぞれ配置されている。このため、第１のリブ１３５は、回路基板１３４と対向する位置から外れて配置されている。
【００９６】
図１１に示すように、第１のリブ１３５は、フレーム部１３３を挟んで、ディスプレイモジュール１１６の基部１３１の側面に面している。一方、第１のリブ１３５は、パネル１３２の側面から第１の内面１２５の方向に外れている。言い換えると、第１のリブ１３５は、第１の内面１２５から基部１３１の厚みよりも小さく突出している。
【００９７】
第１の内面１２５から第１のリブ１３５の先端までの長さは、基部１３１の厚みよりも短い。なお、第１のリブ１３５がパネル１３２の側面から第１の内面１２５の方向に外れているならば、第１のリブ１３５は、第１の内面１２５から基部１３１の厚みよりも大きく突出していても良い。
【００９８】
カバー部材１２１の第２の内面１２６に、複数の第２のリブ１３６が設けられている。第２のリブ１３６は、第２の受け部の一例である。第２のリブ１３６は、それぞれ第２の内面１２６から第１の内面１２５に向かって突出している。第２のリブ１３６は、フレーム部１３３を挟んで、ディスプレイモジュール１１６のパネル１３２の側面に面している。
【００９９】
第２のリブ１３６は、ディスプレイモジュール１１６の左右方向の側面に沿って、それぞれ配置されている。図１１に示すように、第２のリブ１３６は、第１のリブ１３５よりも、ディスプレイモジュール１１６から離れて配置されている。ディスプレイモジュール１１６の左右方向の側面に沿う方向において、複数の第１のリブ１３５と複数の第２のリブ１３６とは、互いに外れて配置されている。
【０１００】
第２のリブ１３６は、第１のリブ１３５よりも大きく突出している。第２のリブ１３６は、ディスプレイモジュール１１６の厚みよりも大きく突出している。第２のリブ１３６と第１の内面１２５との間の隙間は、パネル１３２と第２の内面１２６との間の隙間よりも狭い。
【０１０１】
ディスプレイモジュール１１６のフレーム部１３３に、弾性を有する複数のクッション部材１３７が取り付けられている。クッション部材１３７は、例えば合成ゴム、スポンジ、布、または高分子材料によって形成された衝撃吸収材のような、種々の緩衝材が適用される。
【０１０２】
複数のクッション部材１３７は、それぞれ第２のリブ１３６に対応する位置に設けられている。クッション部材１３７は、ディスプレイモジュール１１６の側面と、第２のリブ１３６との間に挟まれる。クッション部材１３７は、ディスプレイモジュール１１６の側面が第１のリブ１３５に当接すると、第２のリブ１３６に当接する。
【０１０３】
図１３に示すように、設置部材１２３の第１の内面１２５に、複数の第３のリブ１３８が設けられている。第３のリブ１３８は、ディスプレイモジュール１１６の上下方向の側面に沿って、それぞれ配置されている。第３のリブ１３８とディスプレイモジュール１１６との間に、緩衝材が挟まれる。第３のリブ１３８は、緩衝材を介してディスプレイモジュール１１６を挟持している。
【０１０４】
ポータブルコンピュータ１０１が衝撃を受けると、ディスプレイモジュール１１６は、第２の筐体１１５に対して移動する場合がある。例えば、ディスプレイモジュール１１６が左方向もしくは右方向に移動すると、ディスプレイモジュール１１６は、クッション部材１３７を介して第２のリブ１３６に受け止められる。さらに、第１のリブ１３５が、フレーム部１３３を介して基部１３１のみを受け止める。
【０１０５】
一方で、例えば、カバー部材１２１が押されると、カバー部材１２１が撓む。カバー部材１２１が撓むと、第２のリブ１３６は、設置部材１２３の第１の内面１２５に当接する。第２のリブ１３６がカバー部材１２１を支持することで、パネル１３２と第２の内面１２６との間に隙間が存する。
【０１０６】
このように、ポータブルコンピュータ１０１が衝撃を受けたとしても、第１の実施形態のテレビ１と同様に、第１のリブ１３５および第２のリブ１３６がディスプレイモジュール１１６をそれぞれ受け止める。これにより、ディスプレイモジュール１１６に作用する外力が分散される。さらに、パネル１３２に作用する外力を低減することができる。
【０１０７】
さらに、カバー部材１２１が外力を受けると、第２のリブ１３６がカバー部材１２１を支持する。これにより、パネル１３２がカバー部材１２１に接触されて破損することを防止できる。以上のように、ディスプレイモジュール１１６の破損が防止される。
【０１０８】
次に、第５の実施の形態について、図１４ないし図１７を参照して説明する。このとき、第１の実施形態のテレビ１および第４の実施形態のポータブルコンピュータ１０１と同一の機能を有する構成部分には同一の参照符号を付してその説明を省略する。
【０１０９】
図１４は、ポータブルコンピュータ１０１を示す斜視図である。図１４に示すように、第１のユニット１０３は、キーボード１４１と、トラックパッド１４２と、一対のボタン１４３とを有している。
【０１１０】
図１５は、第２のユニット１０４からカバー部材１２１を外して示す平面図である。図１５に示すように、設置部材１２３に、ディスプレイモジュール１１６が取り付けられている。なお、本実施形態における設置部材１２３は、第４の実施形態におけるベース部材１２２の機能を兼ねている。
【０１１１】
図１６は、設置部材１２３の一部を示す斜視図である。図１７は、図１５のＦ１７−Ｆ１７線に沿って第２のユニット１０４の一部を示す断面図である。なお、図１７においても、図１５と同様にカバー部材１２１は除かれている。
【０１１２】
設置部材１２３の第１の内面１２５に、複数の傾斜リブ１４５が設けられている。傾斜リブ１４５は、第１の部分１４６と、第２の部分１４７とを有している。第１の部分１４６は、第１の受け部の一例である。第２の部分１４７は、第２の受け部の一例である。傾斜リブ１４５は、ディスプレイモジュール１１６の左右方向の側面に沿って、それぞれ配置されている。
【０１１３】
第１の部分１４６は、第１の内面１２５から突出している。第１の部分１４６は、ディスプレイモジュール１１６から離れる方向に傾斜している。第１の部分１４６は、フレーム部１３３を挟んで、ディスプレイモジュール１１６の基部１３１の側面に面している。一方、第１の部分１４６は、パネル１３２の側面から第１の内面１２５の方向に外れている。
【０１１４】
第２の部分１４７は、第１の部分１４６の先端から第２の内面１２６に向かって突出している。第２の部分１４７は、第１の部分１４６よりも薄く形成されている。
【０１１５】
第２の部分１４７は、ディスプレイモジュール１１６から離れる方向に傾斜している。このため、第２の部分１４７は、第１の部分１４６よりも、ディスプレイモジュール１１６から離れて配置されている。なお、第２の部分１４７は、第１の部分１４６と同じ角度で傾斜しているが、第１の部分１４６と異なる角度で傾斜していても良い。
【０１１６】
第２の部分１４７と第２の内面１２６との間の隙間は、パネル１３２と第２の内面１２６との間の隙間よりも狭い。第２の部分１４７は、フレーム部１３３を挟んで、ディスプレイモジュール１１６のパネル１３２の側面に面している。
【０１１７】
ポータブルコンピュータ１０１が衝撃を受けると、ディスプレイモジュール１１６は、第２の筐体１１５に対して移動する場合がある。ディスプレイモジュール１１６が左方向または右方向に移動すると、第１の部分１４６は、フレーム部１３３を介して基部１３１のみを受け止める。ポータブルコンピュータ１０１が受けた衝撃が強い場合、第１の部分１４６に受け止められたディスプレイモジュール１１６は、第２の部分１４７にも受け止められる。
【０１１８】
このように、ディスプレイモジュール１１６の基部１３１は、フレーム部１３３を介して第１の部分１４６と第２の部分１４７とに受け止められる。一方、ディスプレイモジュール１１６のパネル１３２は、フレーム部１３３を介して第２の部分１４７にのみ受け止められる。
【０１１９】
一方で、例えばカバー部材１２１が押されると、カバー部材１２１が撓む。カバー部材１２１が撓むと、第２の部分１４７は、カバー部材１２１の第２の内面１２６に当接して、カバー部材１２１を支持する。この場合、パネル１３２と第２の内面１２６との間に隙間が存する。
【０１２０】
上記構成のポータブルコンピュータ１０１によれば、ポータブルコンピュータ１０１が衝撃を受けたとしても、第１の部分１４６がディスプレイモジュール１１６を受け止める。ポータブルコンピュータ１０１が受けた衝撃が強かったとしても、第２の部分１４７がディスプレイモジュール１１６を受け止める。
【０１２１】
パネル１３２は、第２の部分１４７のみによって受け止められる。ディスプレイモジュール１１６が第２の部分１４７に受け止められた際に受ける外力は、第１の部分１４６に受け止められた際に受ける外力よりも小さい。これにより、パネル１３２に作用する外力を低減することができる。
【０１２２】
さらに、カバー部材１２１が外力を受けると、第２の部分１４７は第２の内面１２６に当接してカバー部材１２１を支持する。これにより、パネル１３２がカバー部材１２１に接触されて破損することを防止できる。以上のように、ディスプレイモジュール１１６の破損が防止される。
【０１２３】
なお、本発明は上記実施形態そのままに限定されるものではなく、実施段階ではその要旨を逸脱しない範囲で構成要素を変形して具体化できる。例えば、クッション部材は、ディスプレイモジュールに取り付けられる以外に、第２のリブに取り付けられていても良い。さらに、ディスプレイモジュールの電子機器は、蛍光管や回路基板に限らず、ＬＥＤやのような他の部品でも良い。
【０１２４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１２５】
１…テレビ，３…筐体，４，１１６…ディスプレイモジュール，７…設置部材，８，１２１…カバー部材，１１，１２５…第１の内面，１３，１２６…第２の内面，１４…開口部，２１，１３１…基部，２２…透光パネル，２５，４１，１３５…第１のリブ，２７，４３，１３６…第２のリブ，５１，１４６…第１の部分，５２，１４７…第２の部分，１０１…ポータブルコンピュータ，１１５…第２の筐体，１３２…パネル。
【図１】
2011254254.tif 000003
【図２】
2011254254.tif 000004
【図３】
2011254254.tif 000005
【図４】
2011254254.tif 000006
【図５】
2011254254.tif 000007
【図６】
2011254254.tif 000008
【図７】
2011254254.tif 000009
【図８】
2011254254.tif 000010
【図９】
2011254254.tif 000011
【図１０】
2011254254.tif 000012
【図１１】
2011254254.tif 000013
【図１２】
2011254254.tif 000014
【図１３】
2011254254.tif 000015
【図１４】
2011254254.tif 000016
【図１５】
2011254254.tif 000017
【図１６】
2011254254.tif 000018
【図１７】
2011254254.tif 000019